(57)【要約】【課題】従来の雇用形態と採用のミスマッチ、人材やアイディア不足による事業の失敗、情報格差によるサービスの不平等化や不透明性が起きている現状の課題。個人や中小企業の中には、資金や技術不足といった事から事業化できず、市場の停滞の原因となっている課題。個人や中小企業では、技術が事業化可能かどうかの見極めが困難な為、資金調達が容易でないという課題。【解決手段】  集合知とインターネットを融合したオンライン仲介サービスを、企業とプロデュース権を持つユーザー、一般ユーザーの三者間に対して運営会社が行う。【選択図】図１
2007265371.tif 000002
【特許請求の範囲】
【請求項１】
Ｂｌｏｇ上でプレゼンテーションした評価（ユーザーレビュー）を集合知のヒューマンウェアとして活用し、プロデュース権を持つユーザーと参加企業を仲介し付加価値サービスを提供するＷＥＢサービスである。主に下記の機能を持つことを特徴とする。
（１）  ユーザーの評価（ユーザーレビュー）を情報資源として取り扱いサーバー上で管理し、検索、追記が行える機能。
（２）  評価を段階評価し、平均した値を分野別に順位付けを行う機能。
（３）  プロデュース権を持つユーザーを評価するｏｒ批評するという２つのコミュニティを持つ。評価を行いたい場合は、２つのコミュニティのどちらかに参加する事により評価を行える機能。
（４）  企業が、プロデュース権を持つユーザーに対して興味を持った場合、そのユーザーのＢｌｏｇ上に注目企業として表示される機能。
（５）  情報資源化された評価データーを基にデーター解析や分析を行い、マーケティングツールとして使用出来る機能。
（６）  製品・販売促進活動・価格等の諸要素を、市場規模や特性に合わせて総合的に構成できるマーケティングミックスの機能。
（７）  プロデュースサイトが行ったサービスに対して、予め締結した契約内容に従い、課金、料金の徴収、分配を行う機能。
（８）  効果測定ツールとしての機能。
（９）  ユーザーの貢献度に対してサービスを付加する機能。
（１０）ユーザー参加型アーキテクチャーの機能。
（１１）デビューや商品化した場合に、オンライン予約や宣伝・告知・広告を行う事が出来る機能。
（１２）Ｂｌｏｇ上でのプレゼンテーションに対する評価データーを共有し、活用する事によるフィードバックを行える機能。
（１３）利用ユーザーと企業を仲介するサービスを行う機能。
【発明の詳細な説明】
【技術分野】
【０００１】本発明は、インターネットと集合知を融合させたサービスを用いて新しい価値を創出する為の、オンラインサービスに関するものである。
【背景技術】
【０００２】従来の雇用制度では、個人が企業に対して応募し、それを企業が選考を行う形態である。【０００３】業種によっては、個人の能力を書類選考や面接、試験等で計るのが困難であり、採用のミスマッチが起こっている。【０００４】従来では、コンテストやオーディションの中から市場価値のある物を推測するのは困難であり、分野によっては、優れた物を発表し公開する機会が少ない。
個人や中小企業の中には、資金や技術不足といった事から事業化できず、市場の停滞の原因となっている。
【発明の開示】
【発明が解決しようとする課題】
【０００５】従来の雇用形態と採用のミスマッチ、人材やアイディア不足による事業の失敗、不透明な市場の流れの分析。【０００６】資金や技術不足により、個人や中小企業が引き起こす市場の停滞化。【０００７】資金や技術不足により、個人や中小企業が引き起こす市場の停滞化。【０００８】情報格差によるサービスの不平等化や不透明性を引き起こしている現状の課題【０００９】個人や中小企業では、技術が事業化可能かどうかの見極めが困難なため資金調達が容易でないという課題。【００１０】実際に企業から研究開発によって得られた成果が、資金ギャップの存在等の理由により、事業化につながらず技術革新出来ていない。
【課題を解決するための手段】
【００１１】上記課題を解決する為には、下記条件を備える集合知とインターネットを融合したオンライン仲介サービスを、企業とプロデュース権を持つユーザー、一般ユーザーの三者間に対して運営会社が行う。【００１２】（１）ユーザーの評価（ユーザーレビュー）を情報資源として取り扱いサーバー上で管理し、検索、追記が行える機能。
（２）評価を段階評価し、平均した値を分野別に順位付けを行う機能。
（３）プロデュース権を持つユーザーを評価するｏｒ批評するという２つのコミュニティを持つ。評価を行いたい場合は、２つのコミュニティのどちらかに参加する事により評価を行える機能。
（４）企業が、プロデュース権を持つユーザーに対して興味を持った場合、そのユーザーのＢｌｏｇ上に注目企業として表示される機能。
（５）情報資源化された評価データーを基にデーター解析や分析を行い、マーケティングツールとして使用出来る機能。
（６）製品・販売促進活動・価格等の諸要素を、市場規模や特性に合わせて総合的に構成できるマーケティングミックスの機能。
（７）プロデュースサイトが行ったサービスに対して、予め締結した契約内容に従い、課金、料金の徴収、分配を行う機能。
（８）効果測定ツールとしての機能。
（９）ユーザーの貢献度に対してサービスを付加する機能。
（１０）ユーザー参加型アーキテクチャーの機能。
（１１）デビューや商品化した場合に、オンライン予約や宣伝・告知を行う事が出来る機能。
（１２）Ｂｌｏｇ上でのプレゼンテーションに対する評価データーを共有し、活用する事によるフィードバックを行える機能。
（１３）利用ユーザーと企業を仲介するサービスを行う機能。
【発明の効果】
【００１３】ユーザーが新しい物を身近に見る事が出来、その上自らが評価出来る為、市場における需要を正確に把握する事が出来、若者の科学技術への関心度も高まる【００１４】消費者でもあるユーザー達こそが、的確な指導、助言を行えるパートナーであり、中小企業はスムーズに戦略的な情報化投資を行うことが出来る。【００１５】幅広いニーズに対応し、集合知の利用により満足度の高いサービスを提供する事によってユーザー、プロデューサー、企業との間で人材やアイディアの発掘をサービス化し、新しい価値を創作する事により、市場の活性化を行う事が出来る。【００１６】ユーザー（プロデュース権を持つ）と提携企業は、サービスを受けることにより、少ない費用と時間で効率の良いマッチングを行える。【００１７】知の創造と活用により、人材とビジネスチャンスを拡大し、事業化や経済発展を促す。
【産業上の利用の可能性】
【００１８】幅広いニーズに対応し、集合知の利用により満足度の高いサービスを提供する事によってユーザー、プロデューサー、企業との間で人材やアイディアの発掘をサービス化する。それを用いて、新しい価値を創作し、市場の活性化を行う事が出来る。
【００１９】知の創造と活用により、人材とビジネスチャンスを拡大し、事業化や経済発展を促す。
【発明を実施するための最良の形態】
【００２０】本発明の実施例を図１〜図６により説明する。図１は、本発明の仲介サービスを示した全体構成図である。【００２１】図２は、Ｂｌｏｇ上でプレゼンテーションを行った事に対する、ユーザーからの評価データ（ユーザーレビュー）を、サーバー上で随時新しく更新し、蓄積、管理、分析、データー解析した情報資源を利用したサービスの流れを示している【００２２】図３は、プロデュースサイトの実施例をフローチャートとして示している。参加企業やプロデュース権を取得したいユーザーが、サイトに登録した場合に、利用料を請求し、登録された情報に対して予め規定された内容に基づき管理を行う。一般ユーザーに対しても、登録された情報に対して予め規定された内容に基づき管理を行う。プロデュース権を持つユーザーに対して、動画や写真、音楽等を使用できるＢｌｏｇサービスを提供する。一般ユーザーからの評価を情報資源として取り扱い、サイト上で格付けや注目企業や注目プロデューサーとして宣伝する。評価データーを情報資源として取り扱い、データー解析、分析、格付けしたデーターをサーバーに格納する。プロデュース権を持つユーザーや企業に対して、情報資源化された評価データーベースをマーケティングツールや検索サービスとして提供する。プロデュース権を持つユーザーに対して、興味を持ちコミュニティに参加した企業に対して交渉権を与える。交渉権を利用した企業に対して、予め規定されたプロデュース料を請求する事によって仲介業務を行う。【００２３】図４は、プロデュース権を持つユーザーの実施例をフローチャートとして示している。一般ユーザーが、何かをプロデュースしたい場合、利用料を支払う事によりプロデュース権を得ることが出来る。プロデュース権を得たユーザーは、提供されたサービスを元に動画や写真、音楽等を使い、Ｂｌｏｇ上で自由なプレゼンテーションを行う。［※］プレゼンテーションを行った事に対して、一般ユーザーの評価を行い、随時再評価を行い格付けし直す。評価データーは、随時新しく更新されサーバーにされ蓄積されていく。プロデュースサイトは評価データーを情報資源として取り扱い管理、分析、データー解析を行う。自分の評価データーだけでなく、気になる評価データーをプロデュースサイトで検索する事が出来、評価データーを基に自分のＢｌｏｇに対してフィードバックが出来る。上記の［※］の項に戻り繰り返す。プロデューサーサイに登録していた企業がコンタクトを取ってきた場合に企業との交渉を行う事が出来る。デビューや商品化した場合に、サイト上で先行予約や宣伝・告知を出来る機能を持つ事が出来る。【００２４】図５は、一般ユーザーの実施例をフローチャートとして示している。ユーザー登録を行うとプロデュースサイトに登録され、サービスを受ける事が出来る。一般ユーザーは、ランキング、プロデューサーやコンテンツの検索機能、注目プロデューサー情報により、興味のあるプロデューサーを探すことが出来る。興味のあるプロデューサーが、見つかった場合、評価するｏｒ批評するというコミュニティに参加する事が出来、段階評価やレビューを書くことが出来る。段階評価やレビュー等でユーザーが参加する事により、評価データーベースの価値は向上する。ユーザーの貢献度に合わせて、プロデュースサイトより予め規定されたサービスを受ける事が出来る。（例  ポイント獲得等）参加していたコミュニティのプロデューサーが、デビューや商品化等を行った場合には、先行予約等の特典を受ける事が出来る。【００２５】図６は、参加企業の実施例をフローチャートとして示している。利用料を支払う事によって参加企業としてプロデュースサイトに登録される。参加企業は、ランキングや検索機能、注目プロデューサー情報により、興味のあるプロデューサーを探すことが出来る。コミュニティに参加したプロデューサーに対して、プロデュースサイトより、交渉権が与えられ交渉する事が出来る。交渉権を用いた場合に、プロデュースサイトに対して、予め規定されたプロデュース料を支払う。プロデューサー及び参加企業は、プロデュースサイトが提供する評価データーや分析結果、データー解析等のサービスを効果測定ツールとして使用する事が出来、販売促進活動や市場分析等を行う事が出来る。
【図面の簡単な説明】
【００２６】
【図１】本発明の仲介サービスを示した全体構成図
【図２】サーバー上のサービス機能の図
【図３】プロデュースサイトのフローチャート
【図４】プロデュース権を持つユーザーのフローチャート
【図５】一般ユーザーのフローチャート
【図６】参加企業のフローチャート
【図１】
2007265371.tif 000003
【図２】
2007265371.tif 000004
【図３】
2007265371.tif 000005
【図４】
2007265371.tif 000006
【図５】
2007265371.tif 000007
【図６】
2007265371.tif 000008